(57)【特許請求の範囲】
【請求項１】
ヨークと磁石とを備えた振動体と、
ダンパーを介して前記振動体を振動可能に支持することにより該振動体を内設するフレームと、
一端が取り付けられることにより前記フレームの内部に設置されると共に、他端が前記振動体の近傍まで延設され、該他端にボイスコイルが設けられる円筒状のボイスコイルボビンとを備え、
前記ボイスコイルを流れる音響信号に応じて前記振動体が振動され、前記ダンパーを介して前記振動体の振動が前記フレームに伝達されることにより、当該フレームが設置される伝達媒体を介して音を出力させることが可能なエキサイタであって、
前記フレームに開口部が形成され、
該開口部より前記ボイスコイルボビンの筒内部がフレーム外部へ開放されるようにして、前記ボイスコイルボビンが前記一端側の外周面で前記開口部の周縁部に取り付けられ、
前記ボイスコイルボビンの前記一端側の開放部分を覆うようにして、振動部材が設けられること
を特徴とするエキサイタ。
【請求項２】
前記フレームは、外表面が吸音体で覆われること
を特徴とする請求項１に記載のエキサイタ。
【請求項３】
前記開口部の前記周縁部には、吸振部材が設けられ、
前記ボイスコイルボビンは、該吸振部材を介して前記開口部の前記周縁部に取り付けられること
を特徴とする請求項１に記載のエキサイタ。
【請求項４】
前記フレームの内部空間にこもる熱を、前記ボイスコイルボビンを介して放出するための放熱部材が、当該ボイスコイルボビンに設けられること
を特徴とする請求項１乃至請求項３の何れか１項に記載のエキサイタ。
【発明の詳細な説明】
【技術分野】
【０００１】
本発明は、エキサイタに関し、より詳細には、高域音を高音質に再生することが可能なエキサイタに関する。
【背景技術】
【０００２】
音響信号を聴取者が聴取できるように音として出力させるために、通常はスピーカを用いる。スピーカは、音響信号（電気信号）を空気振動（物理振動）へと変換させる役割を備えている。一般的に多く用いられるスピーカとして、コーン型と呼ばれるスピーカが知られている。
【０００３】
図５は、コーン型スピーカの一例を示した側方断面図である。コーン型スピーカ１００は、底面部１０１ａが円盤平面により構成されると共に円盤平面の中央部に円柱部１０１ｂが一体に形成された第１ヨーク１０１と、第１ヨーク１０１の円柱部１０１ｂよりも大径の開口部１０２ａが、中心部に形成される円環状のリング磁石１０２と、リング磁石１０２の開口部１０２ａよりも小径であると共に第１ヨーク１０１の円柱部１０１ｂよりも大径の開口部１０３ａが形成される円環状の第２ヨーク１０３とを備えている。
【０００４】
さらに、コーン型スピーカ１００は、第１ヨーク１０１の外周に取り付けられるフレーム１０４と、フレーム１０４にダンパー１０５を介して取り付けられる円筒状のボイスコイルボビン１０６と、ボイスコイルボビン１０６の一方の端部１０６ａに取り付けられると共に、エッジ部１０７を介してフレーム１０４に取り付けられるコーン部１０８と、ボイスコイルボビン１０６の端部１０６ａ側の開放部分（端部１０６ａ側の開放された筒端部）を覆うドーム部１０９とを有している。
【０００５】
図５に示すように、第１ヨーク１０１に対して、リング磁石１０２が積層設置され、さらにリング磁石１０２に第２ヨーク１０３が積層設置される。この積層設置において、リング磁石１０２および第２ヨーク１０３の中心と、第１ヨーク１０１の中心とが同芯軸上に並ぶようにして設置され、第１ヨーク１０１の円柱部１０１ｂがリング磁石１０２の開口部１０２ａと第２ヨーク１０３の開口部１０３ａを貫くようにして配置される。第２ヨーク１０３の開放面（リング磁石１０２と当接する面と反対側の面）１０３ｂ側には、フレーム１０４の端部１０４ａが取り付けられている。フレーム１０４は、第２ヨーク１０３との取り付け部（フレーム１０４の端部１０４ａ）から第２ヨーク１０３の開放面１０３ｂ側方向（図５における上側方向）へ伸びるに従って略擂り鉢状に拡径しており、その端部において大きな開口部１０４ｂが形成されている。
【０００６】
フレーム１０４の開口部１０４ｂには、コーン部１０８の振動を大きく低減させることなくコーン部１０８をフレーム１０４に取り付けるためのエッジ部１０７が形成されている。エッジ部１０７が、コーン部１０８の外縁に取り付けられることによって、フレーム１０４にコーン部１０８が支持される構造になっている。
【０００７】
コーン部１０８は、パルプなどを原料とするお椀状のコーン紙によって構成されている。コーン紙が振動することによって、音響信号を空気振動へと変換させることが可能になっている。コーン部１０８の椀状底部には、円筒状のボイスコイルボビン１０６が円筒状内部に第１ヨーク１０１の円柱部１０１ｂを内包するようにして、取り付けられている。なお、ボイスコイルボビン１０６の内側面と円柱部１０１ｂの外側面との間には間隙が確保されており、さらに、ボイスコイルボビン１０６の外側面と第２ヨーク１０３の内側面（開口部１０３ａの内周面）およびリング磁石１０２の内側面（開口部１０２ａの内周面）との間にも、間隙が確保されている。
【０００８】
ボイスコイルボビン１０６の他方の端部１０６ｂであって、第２ヨーク１０３の内側面に対向するボイスコイルボビン１０６の外側面には、音響信号を通すためのボイスコイル１１０が設けられている。また、ボイスコイルボビン１０６には、ダンパー１０５が取り付けられている。ダンパー１０５を介してボイスコイルボビン１０６がフレーム１０４に取り付けられるため、ボイスコイルボビン１０６の振動を大きく低減させることなく、ボイスコイル１１０より発生する振動をコーン部１０８へ伝達することが可能になっている。
【０００９】
ボイスコイルボビン１０６の端部１０６ａ側の開放部分には、ドーム部１０９が設けられている。ドーム部１０９は、コーン紙やシルク等によって構成されており、ドーム部１０９が振動することによって、音響信号を空気振動へと変換させることが可能になっている。
【００１０】
このように構成されるコーン型スピーカ１００のボイスコイル１１０に対して、音響信号を入力させることによって、フレーム１０４の開放部方向へ上下動する（ボイスコイルボビン１０６の延設方向へ往復動する）ようにして、ボイスコイルボビン１０６が振動する。さらに、ボイスコイルボビン１０６の振動がコーン部１０８およびドーム部１０９に伝達されて振動されることによって、音響信号が空気振動へと変換され、コーン型スピーカ１００の前方方向へ音が出力されることになる。
【００１１】
一方で、コーン部１０８およびドーム部１０９を振動させるのではなく、平板状の振動板等を振動させることによって音を出力するエキサイタと呼ばれるスピーカが知られている（例えば、特許文献１参照）。
【００１２】
図６は、エキサイタ２００が平面板２２０に設置された一例を示す側方断面図である。エキサイタ２００は、底面部を構成する有底筒状の第１ヨーク２０１と、第１ヨーク２０１の内部中央に積層される円盤状磁石２０２と、円盤状磁石２０２に積層される円盤状の第２ヨーク２０３とを有している。円盤状磁石２０２および円盤状の第２ヨーク２０３の直径は、第１ヨーク２０１の筒内径よりも小径となっている。第１ヨーク２０１の内側面２０１ａと、この内側面２０１ａに対向する円盤状磁石２０２および第２ヨーク２０３の外側面との間には間隙が形成されている。
【００１３】
第１ヨーク２０１の上方には、第１ヨーク２０１の開放された筒端部を、天井面２０５ａで覆うようにして設けられる有天筒状のフレーム２０５が設けられている。また、フレーム２０５の開放された筒状下端部２０５ｂには、フレーム２０５に第１ヨーク２０１を取り付けるためのダンパー２０７が設けられている。ダンパー２０７は、図７に示すように、略Ｓ字を呈する複数の脚部２０７ｃにより形成されている。略Ｓ字を呈する脚部２０７ｃの一端２０７ａは、フレーム２０５の筒状下端部２０５ｂに連結され、脚部２０７ｃの他端２０７ｂは、第１ヨーク２０１の側部に連結される構造となっている。ダンパー２０７は弾性を備えた板部材により構成されており、脚部２０７ｃを略Ｓ字に形成することによって、第１ヨーク２０１、円盤状磁石２０２および第２ヨーク２０３の振動をできるだけ低減させることなくフレーム２０５へと伝達することが可能になっている。
【００１４】
フレーム２０５の天井面２０５ａ部分には、円筒状のボイスコイルボビン２１０の一端２１０ａが固定されている。また、ボイスコイルボビン２１０の他端２１０ｂは、第１ヨーク２０１の内側面と円盤状磁石２０２および第２ヨーク２０３の外側面との間の間隙へと延設されている。延設された他端２１０ｂの外周面であって、第１ヨーク２０１の内側面２０１ａに対向する側の側面には、ボイスコイル２１１が取り付けられている。
【００１５】
このように構成されるエキサイタ２００のボイスコイル２１１に対して、音響信号を入力させることによって、第１ヨーク２０１、円盤状磁石２０２および第２ヨーク２０３が振動するので、ダンパー２０７を介して第１ヨーク２０１等の振動をフレーム２０５に伝達させることにより、平面板２２０等を振動させて音を出力させることが可能になる。
【００１６】
エキサイタ２００を用いて音を出力させる場合には、エキサイタ２００に当接された平面板２２０等の伝達媒体全体から音を発生することができるので、音の広がりを高めることができ、音質の向上を図ることが可能になる。さらに、音を出力させるための伝達媒体の素材や形状を選択することによって、コーン型スピーカ１００だけでは再生することが難しい重低音を、低域専用スピーカ（ウーファー）等を用いることなく出力することが可能になる。
【先行技術文献】
【特許文献】
【００１７】
【特許文献１】特開２０１３−１１８５４５公報
【発明の概要】
【発明が解決しようとする課題】
【００１８】
エキサイタ２００を設置する場合、エキサイタ２００の設置される伝達媒体（部材）を介して音が出力されることになるため、設置対象となる伝達媒体は、エキサイタ２００の自重や振動力を支持することが可能なものである必要が生ずる。このため、設置対象の伝達媒体は、ある程度の重さと強度を備えるものであることが多い。このような重くて強度のある伝達媒体にエキサイタ２００を取り付けた場合、高音域のような微細な振動を伝達媒体に伝達させると、表面的に微細な振動を伝達させることはできるが、肌理の細かい音質をこの表面的な微細振動で表現することが困難であるという問題があった。
【００１９】
このような、高音域における再生能力の限界を補完する方法として、高域専用スピーカ（ツィーター）２１４（図６参照）をエキサイタ２００周辺に設置し、エキサイタ２００への音響信号の入力ライン（図示省略）を並列にして、エキサイタ２００と高域専用スピーカ２１４との両方に音響信号を入力させる方法を採用していた。このようにエキサイタ２００と高域専用スピーカ２１４とを併用することによって、中低域の音の広がりをエキサイタ２００で再現し、エキサイタ２００での再生が困難な高音域の音の出力を、高域専用スピーカ２１４で再現することが可能になる。
【００２０】
しかしながら、このようにしてエキサイタ２００と高域専用スピーカ２１４とを併用する場合には、高域専用スピーカ２１４を用意する必要があるので、コストの増加を招くという問題があった。さらに、高域専用スピーカ２１４の設置スペース、入力ラインの並列化に伴うローパスフィルタおよびハイパスフィルタの設置、接続リードの必要性などが生ずることから、コストの増加、設置スペースの確保、設置の自由度低下、部品数の増加などの問題が生じていた。
【００２１】
本発明は、上述した問題に鑑みてなされたものであり、高域専用スピーカ等をエキサイタとは別に用意することなく、高音質の高域音を出力することが可能なエキサイタを提供することを課題とする。
【課題を解決するための手段】
【００２２】
上記課題を解決するために、本発明に係るエキサイタは、ヨークと磁石とを備えた振動体と、ダンパーを介して前記振動体を振動可能に支持することにより該振動体を内設するフレームと一端が取り付けられることにより前記フレームの内部に設置されると共に、他端が前記振動体の近傍まで延設され、該他端にボイスコイルが設けられる円筒状のボイスコイルボビンとを備え、前記ボイスコイルを流れる音響信号に応じて前記振動体が振動され、前記ダンパーを介して前記振動体の振動が前記フレームに伝達されることにより、当該フレームが設置される伝達媒体を介して音を出力させることが可能なエキサイタであって、前記フレームに開口部が形成され、該開口部より前記ボイスコイルボビンの筒内部がフレーム外部へ開放されるようにして、前記ボイスコイルボビンが前記一端側の外周面で前記開口部の周縁部に取り付けられ、前記ボイスコイルボビンの前記一端側の開放部分を覆うようにして、振動部材が設けられることを特徴とする。
【００２３】
本発明に係るエキサイタによれば、フレームの開口部よりボイスコイルボビンの筒内部がフレーム外部へ開放されるようにして、開口部の周縁部にボイスコイルボビンが取り付けられ、このボイスコイルボビンの開放部分を覆うようにして振動部材が設けられるので、ボイスコイルボビンを介して振動部材にボイスコイルの振動が伝わって、振動部材からフレーム外部に向かって音を出力することが可能になる。
【００２４】
一般的なエキサイタでは、振動体の振動を伝達媒体に伝達させることにより伝達媒体から音を出力させるため、肌理の細かい高域音を出力することが難しかった。本発明に係るエキサイタでは、伝達媒体への振動伝達だけで高域音を再生させるのではなく、ボイスコイルボビンに設けられる振動部材を介して高域音を出力することができる。このため、肌理の細かい高域音を出力することが可能になり、高音質の高域音を再生することが可能となる。
【００２５】
また、従来のエキサイタのように、高域音を再生するために高域専用スピーカ等を別途用意する必要が無いため、高域専用スピーカ設置に伴う設置スペースの確保、部品数の増加、コスト増加等を抑制することが可能になる。
【００２６】
また、上述したエキサイタは、前記フレームの外表面が吸音体で覆われるものであってもよい。
【００２７】
フレームに開口部が形成されて、開口部の周縁部にボイスコイルボビンが取り付けられることにより、ボイスコイルボビンの微細振動がフレームに伝達されて、フレームの外表面よりノイズが発生してしまうおそれがある。このため、フレームの外表面を吸音体で覆うことによって、フレームの外表面から発生し得るノイズを抑制することが可能になる。
【００２８】
さらに、上述したエキサイタは、前記開口部の前記周縁部に吸振部材が設けられ、前記ボイスコイルボビンが、該吸振部材を介して前記開口部の前記周縁部に取り付けられるものであってもよい。
【００２９】
上述したように、フレームに開口部が形成されて、開口部の周縁部にボイスコイルボビンが取り付けられることにより、ボイスコイルボビンの微細振動がフレームに伝達されて、フレームの外表面よりノイズが発生してしまうおそれがある。このため、開口部の周縁部に吸振部材を設け、吸振部材を介してボイスコイルボビンを開口部の周縁部に取り付けることにより、ボイスコイルボビンの微細振動が吸振部材によって低減される。このため、ボイスコイルボビンの微細振動がフレームに伝達されてしまうことを防止することができ、フレームの外表面からノイズが発生してしまうことを防止することが可能になる。
【００３０】
また、上述したエキサイタにおいて、フレームの内部空間にこもる熱を、ボイスコイルボビンを介して放出するための放熱部材が、ボイスコイルボビンに設けられるものであってもよい。このように放熱部材を設けることによって、エキサイタ内部における放熱性能を向上させることができる。
【発明の効果】
【００３１】
本発明に係るエキサイタによれば、フレームの開口部よりボイスコイルボビンの筒内部がフレーム外部へ開放されるようにして、開口部の周縁部にボイスコイルボビンが取り付けられ、このボイスコイルボビンの開放部分を覆うようにして振動部材が設けられるので、ボイスコイルボビンを介して振動部材にボイスコイルの振動が伝わって、振動部材からフレーム外部に向かって音を出力することが可能になる。
【００３２】
本発明に係るエキサイタでは、伝達媒体への振動伝達だけで高域音を再生させるのではなく、ボイスコイルボビンに設けられる振動部材を介して高域音を出力することができるので、肌理の細かい高域音を出力することが可能になり、高音質の高域音を再生することが可能となる。
【００３３】
また、従来のエキサイタのように、高域音を再生するために高域専用スピーカ等を別途用意する必要が無いため、高域専用スピーカ設置に伴う設置スペースの確保、部品数の増加、コスト増加等を抑制することが可能になる。
【図面の簡単な説明】
【００３４】
【図１】実施の形態１に係るエキサイタを示した側方断面図である。
【図２】実施の形態１に係るエキサイタをテーブルに設置した例を示した図である。
【図３】実施の形態２に係るエキサイタを示した側方断面図である。
【図４】実施の形態３に係るエキサイタを示した側方断面図である。
【図５】コーン型スピーカの概略構成を示した側方断面図である。
【図６】従来より知られるエキサイタが平面板に設置された一例を示した側方断面図である。
【図７】図６に示したエキサイタの裏面側を示した斜視図である。
【発明を実施するための形態】
【００３５】
以下、本発明に係るエキサイタについて、その一例を示して詳細に説明する。
【００３６】
［実施の形態１］
図１は、実施の形態１に係るエキサイタの概略構成を示した側方断面図である。なお、既に説明したエキサイタ２００との構成と同じ機能あるいは役割を有する構成部分については、同一の符号を附して説明を行う。
【００３７】
実施の形態１に係るエキサイタ１は、図１に示すように、振動体２と、フレーム３と、ダンパー４と、ボイスコイルボビン５と、振動部材１０とを備えている。フレーム３は、天井面３ａにボイスコイルボビン５の外周径に対応する開口部３ｂが形成された略円柱形状の中空体であって、下部分３ｄの円柱幅が上部分３ｃの円柱幅に比べて拡径されて、略中央外周部に階段状の段差部３ｅが形成されている。
【００３８】
フレーム３の外周側面および天井外面（フレーム３の外表面）は、吸音体８で覆われている。吸音体８は、フレーム３内部より表面へと伝わる不要な振動等（以下、不要成分とする。）を抑制する（減衰させる）役割を有している。吸音体８としてウレタン等の振動吸収材料を用いてもよく、また、振動そのものを抑制するアルミシートにブチルゴム等を貼り付けた制振材を用いてもよい。
【００３９】
フレーム３内部の略中央部分には、外周部の段差部３ｅに対応する段差部３ｆが形成されており、この段差部３ｆには、ダンパー４が取り付けられている。ダンパー４は、図７に示したダンパー２０７と同様の構造により構成されている。ダンパー４は、略Ｓ字を呈する複数の脚部により形成されており、略Ｓ字の一端がフレーム３の段差部３ｆに連結され、略Ｓ字の他端が振動体２の側部に連結される構造となっている。ダンパー４は弾性を備えた板部材により構成されており、脚部を略Ｓ字に形成することによって、振動体２の振動をできるだけ低減させることなくフレーム３へと伝達することが可能になっている。
【００４０】
振動体２は、図６を示して既に説明した第１ヨーク２０１と、円盤状磁石２０２と、第２ヨーク２０３とにより概略構成されている。第１ヨーク２０１は、有底筒状を呈している。円盤状磁石２０２は、第１ヨーク２０１の内部底面中央に積層され、第２ヨーク２０３は、円盤状磁石２０２に積層されている。第２ヨーク２０３も円盤状磁石２０２と同様に円盤状平面によって構成されているが、その直径は、円盤状磁石２０２の直径よりも僅かに大径となっている。また、第１ヨーク２０１の筒内径は、円盤状磁石２０２および第２ヨーク２０３の直径よりも大径となっており、第１ヨーク２０１の内側面２０１ａと、この内側面２０１ａに対向する円盤状磁石２０２および第２ヨーク２０３の外側面との間には間隙が形成されている。このようにして振動体２が構成されることから、ダンパー４は、第１ヨーク２０１の側部２０１ｂに取り付けられることになる。
【００４１】
フレーム３の天井面３ａに形成された開口部３ｂの縁部には、ボイスコイルボビン５が取り付けられている。具体的には、ボイスコイルボビン５の一端５ａの外周面とフレーム３の開口部３ｂの縁部とが当接し、ボイスコイルボビン５の外周面がフレーム３の縁部に側面固定される構成になっている。このようにしてボイスコイルボビン５がフレーム３に固定されることにより、ボイスコイルボビン５の筒内部が開口部３ｂよりフレーム３外部へ開放されるようにして取り付けられることになる。
【００４２】
さらに、ボイスコイルボビン５の一端５ａの端部は、フレーム３の天井上面よりも上方へと僅かに延出した状態で固定されている。突出したボイスコイルボビン５の一端５ａには、高域専用スピーカ（ツィーター）のドーム部等として用いられる振動部材１０が取り付けられている。振動部材１０は、例えば、ドーム形状を呈するシルク等により構成されており、ボイスコイルボビン５の開放部分を覆うようにして取り付けられる。
【００４３】
ボイスコイルボビン５の他端５ｂは、真下方向へと垂設されており、他端５ｂの先端（下端）は、第１ヨーク２０１の内側面２０１ａと円盤状磁石２０２および第２ヨーク２０３の外側面との間の間隙へと延設されている。また、ボイスコイルボビン５における延設された他端５ｂの外周面であって、第１ヨーク２０１の内側面２０１ａに対向する側の側面には、ボイスコイル１１が取り付けられている。
【００４４】
図２は、エキサイタ１を一例としてテーブル１３に設置した状態を示している。エキサイタ１は、フレーム３の底面部３ｇを、例えば両面テープ等を用いてテーブル１３の机面１３ａ上に固定し、机面１３ａの少し離れた場所等に、アンプ機能を備えた音響信号再生装置（例えば、ＣＤプレーヤー等）１４を設置して、音響信号再生装置１４の出力部とボイスコイル１１の信号ケーブル端部とをスピーカケーブル１５を用いて電気的に接続させる。このようにしてテーブル１３の机面１３ａ上にエキサイタ１が設置された状態で、音響信号再生装置１４より音響信号を出力させて、ボイスコイル１１に音響信号を入力させる。ボイスコイル１１に音響信号が入力された場合、ボイスコイル１１における音響信号の通電と、円盤状磁石２０２による磁界とによって、ボイスコイルボビン５が上下方向に振動する（ボイスコイルボビン５の延設方向に往復動する）と共に、振動体２が上下方向に振動することになる。
【００４５】
振動体２が上下方向に振動することにより、ダンパー４を介して音響信号の振動がフレーム３へと伝達され、フレーム３に伝達された振動がフレーム３の底面部３ｇを介して机面１３ａへと伝達される。このため、底面部３ｇを介して机面１３ａへと伝達された振動が、机面１３ａ全体へ伝達され、テーブル１３全体が伝達部材（振動部材）となって、音が出力される。
【００４６】
また、ボイスコイルボビン５が上下に振動することによって、ボイスコイルボビン５の一端５ａに取り付けられたシルク等の振動部材１０が振動されて、音響信号（電気信号）が空気振動（物理振動）へと変換されるため、音が振動部材１０を介して出力（生成）されることになる。ここで、振動部材１０として、高域専用スピーカのドーム部に用いられるシルク等を用いることにより、エキサイタ１の振動体２による振動では、机面１３ａにおいて出力・再生することが難しい肌理の細かい高域音を、振動部材（シルク等）１０より出力することが可能になる。
【００４７】
さらに、フレーム３の外周側面および天井外面が吸音体８で覆われているため、ボイスコイルボビン５の振動が、開口部３ｂの縁部を介してフレーム３へ伝達された場合であっても、フレーム３の外表面において不要成分に基づくノイズが発生してしまうことを抑制することができる。このため、不要成分に基づくノイズがフレーム３の表面から出力されることを防止することができ、エキサイタ１における出力音の音質向上を図ることが可能になる。
【００４８】
上述したように、実施の形態１に係るエキサイタ１では、ボイスコイルボビン５の一端５ａに設けられる振動部材１０によって、高域用のコーン型スピーカのように、高域の上質な音響出力を実現することができる。また、エキサイタ１では、フレーム３の底面部３ｇを介してテーブル１３に伝達される振動体２の振動によって、中低域、特に中低音等の音をより効果的に出力することができる。このため、実施の形態１に係るエキサイタ１を用いることにより、低域から高域までバランスよく、高音質で上質な音を出力することが可能になる。
【００４９】
さらに、従来のエキサイタでは出力・再生することが難しかった高域の肌理の細かい音の出力を、高域専用スピーカ（ツィーター）等を別途用意することなく実現することができる。このため、高域専用スピーカ等の設置に伴うコスト増大を抑制することが可能になると共に、設置スペースの確保等も考慮する必要が無いという効果を奏することができる。
【００５０】
なお、上述したエキサイタ１では、振動部材１０としてシルク等を用いた場合を一例として用いて説明を行ったが、振動部材１０の材質としてアルミ等の金属材料を用いることも可能である。振動部材１０としてアルミを用いることによって、アルミという材質特有の音質を得ることが可能になるだけでなく、ボイスコイルボビン５の周囲に蓄積される熱をアルミの振動部材１０を介して放出（放熱）させることが可能になる。
【００５１】
また、放熱性能をさらに向上させるためには、振動部材１０にアルミ等の放熱性の高い材料を用いるだけでなく、ボイスコイルボビン５の材料自体もアルミ等の放熱性が高いものにすることが好ましい。例えば、放熱性の高いアルミ板をボイスコイルボビン５および振動部材１０に用いることにより、エキサイタ１を用いて音を出力させる際にボイスコイルボビン５の周囲（より詳細には、フレーム３内部）に蓄積される熱を、振動部材１０へと伝導させて効果的に放熱することが可能になる。
【００５２】
［実施の形態２］
次に、実施の形態２に係るエキサイタについて説明する。なお、実施の形態１に係るエキサイタ１の構成と同じ機能あるいは役割を有する構成部分については、実施の形態１に係るエキサイタ１の構成と同一の符号を附すると共に、ここでの詳細な説明を省略する。
【００５３】
図３は、実施の形態２係るエキサイタの一例を示した側方断面図である。実施の形態２に係るエキサイタ２０は、図３に示すように、フレーム３の天井面３ａに形成された開口部３ｂの縁部に対し、ボイスコイルボビン５の振動を吸収するための吸振部材２１を設置し、この吸振部材２１に対してボイスコイルボビン５が取り付けられている。
【００５４】
このように、吸振部材２１を介してボイスコイルボビン５がフレーム３に取り付けられる点で、実施の形態２に係るエキサイタ２０は、実施の形態１に示したエキサイタ１と異なっている。また、実施の形態２に係るエキサイタ２０は、フレーム３の外周側面および天井外面に対して吸音体８が取り付けられていない点において、実施の形態１に示したエキサイタ１と異なっている。
【００５５】
図３に示すように、実施の形態２に係るエキサイタ２０では、ボイスコイルボビン５がゴム部材等からなる吸振部材２１を介してフレーム３に取り付けられるので、ボイスコイルボビン５の微細振動が、開口部３ｂの縁部を介してフレーム３に伝達されてしまうことを防止することができる。従って、ボイスコイルボビン５の微細振動に伴って、不要成分に基づくノイズがフレーム３の表面等において発生することを防止することができる。このため、エキサイタ２０における出力音の音質向上を図ることが可能になる。
【００５６】
また、吸振部材２１によって不要成分がフレーム３に伝達されてしまうことを防止することができるので、フレーム３の外周側面および天井外面に対して吸音体８を設置する必要がなくなり、構造の簡略化とコスト削減とを実現することが可能になる。
【００５７】
［実施の形態３］
次に、実施の形態３に係るエキサイタについて説明する。なお、実施の形態１あるいは実施の形態２に係るエキサイタ１,２０の構成と同じ機能あるいは役割を有する構成部分については、実施の形態１あるいは実施の形態２に係るエキサイタ１,２０の構成と同一の符号を附すると共に、ここでの詳細な説明を省略する。
【００５８】
図４は、実施の形態３に示すエキサイタの一例を示した側方断面図である。実施の形態３に係るエキサイタ３０は、図４に示すように、ボイスコイルボビン５の中央部近傍の外周面に対して円環状の放熱部材３１が設置された構造になっている。このように、ボイスコイルボビン５に放熱部材３１が設置される点で、実施の形態３に係るエキサイタ３０は、実施の形態１および実施の形態２に示したエキサイタ１，２０と異なっている。
【００５９】
なお、ボイスコイルボビン５に設置される放熱部材３１は、ボイスコイルボビン５の振動を阻害しない材質を用いることが好ましく、例えば、アルミ板等のように、軽量かつ放熱性の高い部材を用いることが望ましい。
【００６０】
ボイスコイルボビン５は、図４に示すように、吸振部材２１を介してフレーム３に取り付けられているため、コーン型のスピーカに比べてボイスコイルボビン５自体の振動が大きく制限されることになる。このため、例えば、ボイスコイルボビン５の外周面とフレーム３の内壁面との間の空間に熱がこもり易くなってしまうという問題があった。従って、ボイスコイルボビン５における外周面の中央部近傍であって、ボイスコイルボビン５とフレーム３との間の空間に位置するように放熱部材３１を設置することによって、エキサイタ３０の内部の放熱性能を向上させることができる。
【００６１】
なお、放熱性向上を図る場合には、放熱部材３１を設置するだけでなく、上述したようにボイスコイルボビン５の素材自体を放熱性の高い材料にすることが好ましい。例えば、放熱部材３１としてアルミ板を用いる場合には、ボイスコイルボビン５にもアルミを用いることによって、効果的に放熱を行うことが可能になる。
【００６２】
以上説明したように、実施の形態１〜３に係るエキサイタは、テーブル１３等（音を出力させるための伝達媒体）へ当接するための底面部３ｇを備えて天井面３ａに開口部３ｂが形成される中空状のフレーム３の内部に対して、ダンパー４を介して、第１ヨーク２０１、円盤状磁石２０２および第２ヨーク２０３からなる振動体２を振動可能に取り付けることにより、底面部３ｇを介してテーブル１３等に対して、音響信号に伴う振動を伝達することができる。このため、実施の形態１〜３に係るエキサイタを用いることによって、低域から高域まで全帯域の音を、テーブル１３の机面１３ａ全体で出力することが可能になる。
【００６３】
また、ボイスコイルボビン５の一端５ａを、フレーム３の開口部３ｂに取り付けると共に、その一端５ａの開放部分を覆うようにしてドーム形状の振動部材１０を設置し、さらに、ボイスコイルボビン５の他端５ｂを第２ヨーク２０３近傍まで延設させて、他端５ｂの外周面にボイスコイル１１を設置することにより、振動部材１０を振動させて、高域の音を出力させることができる。この場合において、振動部材１０として高域専用スピーカのドーム部等に用いられるシルク等を用いることによって、振動体２の振動だけでは出力・再生させることが難しい肌理の細かい高域音を出力・再生することが可能になる。
【００６４】
また、実施の形態１に係るエキサイタ１のように、フレーム３の外周側面および天井外面（フレーム３の外表面）を、吸音体８で覆うことによって、ボイスコイルボビン５の微細振動がフレーム３に伝達されてしまってフレーム３の表面等からノイズが発生してしまうことを、防止することが可能になる。
【００６５】
あるいは、実施の形態２および実施の形態３に係るエキサイタ２０,３０のように、ゴム部材等からなる吸振部材２１を介してフレーム３にボイスコイルボビン５を取り付けることによって、ボイスコイルボビン５の微細振動が、開口部３ｂの縁部を介してフレーム３に伝達されてしまうことを防止することができる。このため、フレーム３の表面等からノイズが発生してしまうことを防止することが可能になる。
【００６６】
さらに、実施の形態３に係るエキサイタ３０のように、ボイスコイルボビン５における外周面の中央部近傍に対して放熱部材３１を設置することによって、エキサイタ３０（ボイスコイルボビン５）における放熱性能を向上させることができる。
【００６７】
以上、本発明に係るエキサイタについて、図面を用いて詳細に説明を行ったが、本発明に係るエキサイタは、実施の形態１〜３で説明した例には限定されない。当業者であれば、特許請求の範囲に記載された範疇内において、各種の変更例または修正例に想到し得ることは明らかである。
【００６８】
例えば、実施の形態３に係るエキサイタ３０として、実施の形態２に係るエキサイタ２０の構成に対して放熱部材３１を設置する場合を一例として示して説明を行ったが、放熱部材３１が設置されるエキサイタは、必ずしも実施の形態２に係るエキサイタ２０の構成に限定されるものではない。例えば、実施の形態１に係るエキサイタ１に対して放熱部材３１を設置する構成にすることも可能である。実施の形態１に係るエキサイタ１に放熱部材３１を設置した場合であっても、実施の形態３に係るエキサイタ３０と同様に、エキサイタ１（ボイスコイルボビン５）における放熱性能を向上させることが可能になる。
【符号の説明】
【００６９】
１、２０、３０、２００   …エキサイタ
２   …振動体
３、１０４、２０５  …フレーム
４、１０５、２０７  …ダンパー
５，１０６、２１０  …ボイスコイルボビン
３ａ   …（フレームの）天井面
３ｂ   …（フレームの）開口部
３ｃ   …（フレームの）上部分
３ｄ   …（フレームの）下部分
３ｅ、３ｆ   …（フレームの）段差部
３ｇ   …（フレームの）底面部
５ａ、２１０ａ   …（ボイスコイルボビンの）一端
５ｂ、２１０ｂ   …（ボイスコイルボビンの）他端
８     …吸音体
１０   …振動部材
１１、１１０、２１１   …ボイスコイル
１３   …テーブル
１３ａ  …机面
１４   …音響信号再生装置
１５   …スピーカケーブル
２１   …吸振部材
３１   …放熱部材
１００  …コーン型スピーカ
１０１、２０１  …第１ヨーク
１０１ａ  …（第１ヨークの）底面部
１０１ｂ  …（第１ヨークの）円柱部
１０２  …リング磁石
１０２ａ  …（リング磁石の）開口部
１０３、２０３  …第２ヨーク
１０３ａ  …（第２ヨークの）開口部
１０３ｂ  …（第２ヨークの）開放面
１０４ａ  …（フレームの）端部
１０４ｂ  …（フレームの）開口部
１０６ａ  …（ボイスコイルボビンの）端部
１０６ｂ  …（ボイスコイルボビンの）端部
１０７  …エッジ部
１０８  …コーン部
１０９  …ドーム部
２０１ａ  …（第１ヨークの）内側面
２０１ｂ  …（第１ヨークの）側部
２０２  …円盤状磁石
２０５ａ  …（フレームの）天井面
２０５ｂ  …（フレームの）筒状下端部
２０７ａ  …（ダンパーの）一端
２０７ｂ  …（ダンパーの）他端
２０７ｃ  …（ダンパーの）脚部
２１４  …高域専用スピーカ
２２０  …平面板
【図１】
0006325957.tif 000002
【図２】
0006325957.tif 000003
【図３】
0006325957.tif 000004
【図４】
0006325957.tif 000005
【図５】
0006325957.tif 000006
【図６】
0006325957.tif 000007
【図７】
0006325957.tif 000008